(57)【要約】【課題】異なる大きさの媒体に容易に対応し得るようにする。【解決手段】紙幣処理装置１の入金部１２では、フレーム空間２４において、背部支持板９０の差込突起部９６をサイドガイド５３の位置決め孔８３に挿通させると共に、ロック部７３の係合爪部８８を背部支持板９０の孔部後辺９４に係合させて、該サイドガイド５３を入金機構部２３に取り付けるようにした。このため入金部１２では、側カバー部２１や筐体１０等を取り外させることなく、作業者に中央カバー部２２を開放状態にさせて開口部１２Ｅを開放させ、さらにバックアップ部２９との連動を解除させることにより、上傾斜部８７等に対して容易にアクセスさせることができ、サイドガイド５３の取付位置を極めて容易に変更させることができる。【選択図】図４
2018200507.tif 000002
【特許請求の範囲】
【請求項１】
媒体が集積される内部空間を外部と連通させる開口部と、
前記開口部を閉塞又は開放するカバー部と、
前記内部空間内において所定の集積方向に沿って集積された前記媒体を支持する媒体支持部と、
前記媒体支持部により支持されている前記媒体を分離して取り込む分離取込部と、
前記内部空間内において所定のガイド方向に関して前記媒体を集積すべき範囲を規定するガイド部と、
前記媒体支持部に設けられた支持側係合部と、
前記ガイド部に設けられ、前記支持側係合部と係合して前記媒体支持部に対する前記ガイド部の位置を定めるガイド側係合部と、
前記ガイド部を前記ガイド方向に関する所定のガイド位置に合わせて前記支持側係合部及び前記ガイド側係合部を係合させた係合状態を保持する保持部と、
前記内部空間内に配置され、使用者の操作に応じて、前記保持部により前記係合状態を保持するか否かを切り替える切替操作部と
を具えることを特徴とする媒体取込装置。
【請求項２】
前記支持側係合部及び前記ガイド側係合部は、予め複数の離散した箇所に前記ガイド位置が設定されており、前記ガイド部を複数の当該ガイド位置のうち何れかに合わせるように係合する
ことを特徴とする請求項１に記載の媒体取込装置。
【請求項３】
前記支持側係合部及び前記ガイド側係合部は、何れか一方が所定の基部における前記ガイド方向に沿って離散した複数箇所に形成された複数の孔部であり、他方が前記孔部に挿通される突起部である
ことを特徴とする請求項２に記載の媒体取込装置。
【請求項４】
前記突起部は、前記係合状態において前記孔部を貫通し、その一部が該孔部から突出する
ことを特徴とする請求項３に記載の媒体取込装置。
【請求項５】
前記突起部に対し前記ガイド方向と交差する方向であって、且つ前記係合状態において前記基部に覆われない位置に設けられた位置指示部
をさらに具えることを特徴とする請求項３に記載の媒体取込装置。
【請求項６】
前記ガイド部は、前記媒体支持部に対して前記集積方向と反対の反集積方向に変位することにより前記ガイド側係合部を前記支持側係合部に係合させ、前記媒体支持部に対して前記集積方向に変位することにより前記ガイド側係合部と前記支持側係合部との係合を解除させる
ことを特徴とする請求項１に記載の媒体取込装置。
【請求項７】
前記保持部は、前記ガイド部の前記集積方向への変位を禁止する
ことを特徴とする請求項６に記載の媒体取込装置。
【請求項８】
前記内部空間において集積された前記媒体を前記反集積方向へ押圧する押圧部と、
前記ガイド方向に関して前記ガイド部を挟んで前記押圧部の反対側に配置され、前記押圧部を支持すると共に前記集積方向に沿って案内する押圧支持部と、
前記押圧部及び前記押圧支持部を接続する押圧接続部と
をさらに具え、
前記ガイド部は、前記集積方向に沿った長孔でなり前記押圧接続部が挿通された集積方向溝を有し、前記ガイド側係合部と前記支持側係合部との係合が解除された場合に、該押圧接続部及び該集積方向溝により移動範囲が規制される
ことを特徴とする請求項６に記載の媒体取込装置。
【請求項９】
前記切替操作部は、付勢部材の付勢作用により前記保持部に前記係合状態を保持させ、前記使用者により前記付勢部材に対し前記付勢作用に反する力が加えられると前記係合状態の保持を解除する
ことを特徴とする請求項１に記載の媒体取込装置。
【請求項１０】
前記切替操作部は、前記付勢部材の前記付勢作用により前記支持側係合部及び前記ガイド側係合部を変位させない箇所に設けられている
ことを特徴とする請求項９に記載の媒体取込装置。
【請求項１１】
前記内部空間において前記集積方向に沿って移動可能であり、集積された前記媒体を前記集積方向と反対の反集積方向へ押圧する押圧部と、
前記カバー部を前記押圧部と連動させることにより、前記カバー部が前記開口部を開放した場合に、前記押圧部を前記集積方向側に移動させる連動部と
をさらに具え、
前記切替操作部は、前記カバー部が前記開口部を開放したことにより前記集積方向側に移動された前記押圧部により、前記使用者による操作が抑止される
ことを特徴とする請求項１に記載の媒体取込装置。
【請求項１２】
前記支持側係合部及び前記ガイド側係合部は、前記カバー部が前記開口部を開放したことにより前記押圧部が前記集積方向側に移動された場合に、該開口部を介して、前記支持側係合部及び前記ガイド側係合部を係合させた前記係合状態を前記使用者に視認させる
ことを特徴とする請求項１１に記載の媒体取込装置。
【請求項１３】
媒体を取り込む媒体取込部と、
前記媒体取込部により取り込まれた前記媒体を搬送する搬送部と
を具え、
前記媒体取込部は、
前記媒体が集積される内部空間を外部と連通させる開口部と、
前記開口部を閉塞又は開放するカバー部と、
前記内部空間内において所定の集積方向に沿って集積された前記媒体を支持する媒体支持部と、
前記媒体支持部により支持されている前記媒体を分離して取り込む分離取込部と、
前記内部空間内において所定のガイド方向に関して前記媒体を集積すべき範囲を規定するガイド部と、
前記媒体支持部に設けられた支持側係合部と、
前記ガイド部に設けられ、前記支持側係合部と係合して前記媒体支持部に対する前記ガイド部の位置を定めるガイド側係合部と、
前記ガイド部を前記ガイド方向に関する所定のガイド位置に合わせて前記支持側係合部及び前記ガイド側係合部を係合させた係合状態を保持する保持部と、
前記内部空間内に配置され、使用者の操作に応じて、前記保持部により前記係合状態を保持するか否かを切り替える切替操作部と
を具えることを特徴とする媒体処理装置。
【発明の詳細な説明】
【技術分野】
【０００１】
本発明は媒体取込装置及び媒体処理装置に関し、例えば金融機関の窓口に設置され、媒体としての紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。
【０００３】
紙幣処理装置には、例えば使用者から紙幣を受け取る入金部、使用者に紙幣を引き渡す出金部、紙幣を所定の搬送路に沿って搬送する搬送部、紙幣を鑑別する鑑別部、紙幣を一時的に保留する一時保留部、及び紙幣を収納する紙幣収納庫等が設けられている。
【０００４】
このうち入金部としては、所定の最大収納枚数（例えば３００枚）までの紙幣を収納する集積空間や、該集積空間に収納されている紙幣を１枚ずつに分離して搬送部に引き渡す分離部等を有するものがある。このような入金部を有する紙幣処理装置として、使用者との間で入金取引を行う場合に、集積された紙幣が使用者により入金部の集積空間へ投入された後、この紙幣を分離部により１枚ずつに分離しながら繰り出し、搬送部に順次引き渡していくものある。
【０００５】
一般に、紙幣は発行される国や地域によってその大きさが相違している。そこで紙幣処理装置のなかには、入金部における集積空間の大きさを規定するガイドの取付位置を調整することにより、様々な大きさの紙幣に対応し得るものが提案されている（例えば、特許文献１参照）。
【先行技術文献】
【特許文献】
【０００６】
【特許文献１】特開２０１４−１１５８７９号公報（図３）
【発明の概要】
【発明が解決しようとする課題】
【０００７】
ところで紙幣処理装置は、例えば出荷先が異なる国や地域に変更された場合等に、入金部におけるガイドの取付位置を変更する必要がある。しかしながら入金部では、ガイドの取付位置を調整する場合、例えば入金部の周囲を覆うカバーを一度取り外し、当該ガイドの取付位置を調整した後、再度カバーを取り付ける、といった作業を行う必要があり、手間や時間を要してしまう、という問題があった。
【０００８】
本発明は以上の点を考慮してなされたもので、異なる大きさの媒体に容易に対応し得る媒体取込装置及び媒体処理装置を提案しようとするものである。
【課題を解決するための手段】
【０００９】
かかる課題を解決するため本発明の媒体取込装置においては、媒体が集積される内部空間を外部と連通させる開口部と、開口部を閉塞又は開放するカバー部と、内部空間内において所定の集積方向に沿って集積された媒体を支持する媒体支持部と、媒体支持部により支持されている媒体を分離して取り込む分離取込部と、内部空間内において所定のガイド方向に関して媒体を集積すべき範囲を規定するガイド部と、媒体支持部に設けられた支持側係合部と、ガイド部に設けられ、支持側係合部と係合して媒体支持部に対するガイド部の位置を定めるガイド側係合部と、ガイド部をガイド方向に関する所定のガイド位置に合わせて支持側係合部及びガイド側係合部を係合させた係合状態を保持する保持部と、内部空間内に配置され、使用者の操作に応じて、保持部により係合状態を保持するか否かを切り替える切替操作部とを設けるようにした。
【００１０】
また本発明の媒体処理装置においては、媒体を取り込む媒体取込部と、媒体取込部により取り込まれた媒体を搬送する搬送部とを設け、媒体取込部は、媒体が集積される内部空間を外部と連通させる開口部と、開口部を閉塞又は開放するカバー部と、内部空間内において所定の集積方向に沿って集積された媒体を支持する媒体支持部と、媒体支持部により支持されている媒体を分離して取り込む分離取込部と、内部空間内において所定のガイド方向に関して媒体を集積すべき範囲を規定するガイド部と、媒体支持部に設けられた支持側係合部と、ガイド部に設けられ、支持側係合部と係合して媒体支持部に対するガイド部の位置を定めるガイド側係合部と、ガイド部をガイド方向に関する所定のガイド位置に合わせて支持側係合部及びガイド側係合部を係合させた係合状態を保持する保持部と、内部空間内に配置され、使用者の操作に応じて、保持部により係合状態を保持するか否かを切り替える切替操作部とを設けるようにした。
【００１１】
本発明は、カバー部を開放状態に遷移させて開口部を開放することにより、内部空間内の切替操作部を使用者に操作させることができる。このため本発明では、筐体等を分解する必要なく、該開口部のなかから、ガイド側係合部と収納側係合部との係合を解除させて、ガイド部の位置を変更させることができる。
【発明の効果】
【００１２】
本発明によれば、異なる大きさの媒体に容易に対応し得る媒体取込装置及び媒体処理装置を実現できる。
【図面の簡単な説明】
【００１３】
【図１】紙幣処理装置の全体構成を示す略線図である。
【図２】受渡部の構成を示す略線的斜視図である。
【図３】カバー部の構成及び開閉動作を示す略線図である。
【図４】入金部の構成を示す略線的斜視図である。
【図５】入金部及び入金機構部の構成を示す略線図である。
【図６】入金機構部の構成を示す略線図である。
【図７】バックアップ部の構成を示す略線的斜視図である。
【図８】連動部の構成を示す略線図である。
【図９】連動部の構成を示す略線図である。
【図１０】入金部の開閉動作及び押圧動作の連動を示す略線図である。
【図１１】サイドガイドの構成を示す略線的斜視図である。
【図１２】サイドガイドの構成を示す略線的斜視図である。
【図１３】サイドガイドの構成を示す略線的斜視図である。
【図１４】背部支持板の構成を示す略線的斜視図である。
【図１５】背部支持板の構成を示す略線的斜視図である。
【図１６】サイドガイドの取付及び保持を示す略線的斜視図である。
【図１７】他の実施の形態によるサイドガイドの取付を示す略線的斜視図である。
【図１８】他の実施の形態によるサイドガイドの取付を示す略線的斜視図である。
【発明を実施するための形態】
【００１４】
以下、発明を実施するための形態（以下実施の形態とする）について、図面を用いて説明する。
【００１５】
［１．紙幣処理装置の構成］
図１に示すように、第１の実施の形態による紙幣処理装置１は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。
【００１６】
以下では、紙幣処理装置１のうち使用者が対峙する正面側を前側とし、その反対を後側とし、前側から見た場合の左及び右をそれぞれ左側及び右側とし、さらに上側及び下側を定義して説明する。
【００１７】
媒体処理装置としての紙幣処理装置１は、全体を覆う筐体２が直方体状に形成されており、該筐体２における上面の前寄りに、使用者との間で紙幣を受け渡す受渡部４が設けられている。受渡部４は、筐体２における後側部分の上面よりも上方に隆起しており、且つ手前側に対して奥側（後側）が高くなるよう緩やかに傾斜されている。これにより受渡部４は、筐体２の前側に位置する使用者から容易にアクセスし得るように、すなわち使用者が紙幣の投入や取出を容易に行い得るようになっている。
【００１８】
紙幣処理装置１には、筐体２の内部に、制御部１１、入金部１２、第１出金部１３、第２出金部１４、搬送部１５、鑑別部１６、一時保留部１７、複数の紙幣収納庫１８及びリジェクト庫１９が設けられている。
【００１９】
制御部１１は、紙幣処理装置１の全体を統括的に制御している。この制御部１１は、図示しないＣＰＵ（Central Processing Unit）を中心に構成され、図示しないＲＯＭやフラッシュメモリ等から所定のプログラムを読み出して実行することにより、入金処理や出金処理等のような種々の処理を行う。また制御部１１は、内部にＲＡＭ（Random Access Memory）、ハードディスクドライブやフラッシュメモリ等でなる記憶部を有しており、この記憶部に種々の情報やプログラム等を記憶させる。
【００２０】
媒体取込部及び媒体取込装置としての入金部１２は、受渡部４の最も後側に配置されており、紙幣を収納する集積空間や、該集積空間から紙幣を１枚ずつに分離する分離部、及び該集積空間を外部から遮蔽するカバー等を有している（詳しくは後述する）。この入金部１２は、集積された紙幣が使用者により集積空間内に投入されると、これを１枚ずつに分離する分離処理を行って繰り出し、搬送部１５に引き渡す。
【００２１】
第１出金部１３は、受渡部４における前後方向の中央付近に位置している。この第１出金部１３は、紙幣を集積した状態で収納する集積空間や、搬送部１５から受け取った紙幣を集積空間内へ放出する放出部、及び所定のアクチュエータにより開閉可能なカバー等を有している。この第１出金部１３は、搬送部１５から紙幣が搬送されてくると、カバーを閉塞した状態で、放出部により紙幣を集積空間内へ放出して集積させた後、該カバーを開放して使用者に紙幣を取り出させる。
【００２２】
第２出金部１４は、第１出金部１３と同様の集積空間、放出部及びカバーを有している。ただしカバーは、前面部分が左右方向に関して３分割されており、このうち左右の両外側に位置する部分が上面部分で連結されて一体の部品となっている。この両外側に位置する部分は、所定のアクチュエータから供給される駆動力により開閉され、中央に位置する部分が使用者により手動で開閉されるようになっている。
【００２３】
搬送部１５は、筐体２内の各部を結ぶ搬送路Ｙに沿って配置された各種ローラやベルト、並びにこれらを駆動するためのギアやモータ等により構成されている。また搬送部１５は、搬送路の分岐点に図示しない切替器を適宜配置している。この搬送部１５は、制御部１１の制御に基づき、搬送路に沿って紙幣を搬送すると共に、切替器により当該紙幣の搬送先を切り替える。因みに図２では、搬送部１５を構成する部品の一部のみを模式的に示している。
【００２４】
鑑別部１６は、入金部１２の後方下側であって、搬送部１５の搬送路Ｙ上に配置されている。この鑑別部１６は、種々のセンサを有しており、搬送部１５により搬送されてくる紙幣の金種、真偽、正損、走行状態などを基に、取り扱うことのできる取扱可能紙幣であるか否かを鑑別し、その鑑別結果を制御部１１へ送出する。また鑑別部１６は、紙幣における損傷の程度を基に、再利用することができる再利用可能紙幣であるか否かを鑑別し、その鑑別結果を制御部１１へ送出することもできる。
【００２５】
一時保留部１７は、第２出金部１４の前方下側に配置されており、搬送部１５により搬送されてきた紙幣を内部に一時的に収納（保留）し、また保留している紙幣を１枚ずつ搬送部１５へ繰り出す。
【００２６】
各紙幣収納庫１８は、内部に紙幣を集積した状態で収納する集積空間や、搬送部１５から搬送されてきた紙幣を該集積空間内へ放出して集積させる放出機構、及び集積空間内に集積されている紙幣を１枚ずつに分離して繰り出し、搬送部１５に引き渡す分離機構等を有している。この紙幣収納庫１８は、搬送部１５から搬送されてくる紙幣（正常紙幣）を上下方向に重ねて内部に収納し、また収納している紙幣を１枚ずつ繰り出して搬送部１５へ引き渡す。
【００２７】
リジェクト庫１９は、内部に紙幣を収納する集積空間や、搬送部１５から搬送されてきた紙幣を該集積空間内へ放出して集積させる放出機構等を有している。このリジェクト庫１９は、鑑別部１６において再利用不可能と鑑別された紙幣（リジェクト紙幣）が搬送部１５により搬送されてくると、内部に収納する。
【００２８】
かかる構成により紙幣処理装置１は、図示しない操作部を介して使用者から入金取引を開始する操作を受け付けると、制御部１１において所定の入金プログラムを読み出して実行することにより、入金処理を開始する。
【００２９】
具体的に制御部１１は、第２出金部１４における外側のカバーを開放した上で、表示部（図示せず）に所定のメッセージを表示することにより、使用者に紙幣を入金部１２の集積空間内へ投入させ、分離処理によりこの紙幣を１枚ずつ分離して搬送部１５へ順次引き渡す。搬送部１５は、この紙幣を搬送路Ｙに沿って鑑別部１６へ順次搬送する。
【００３０】
続いて制御部１１は、鑑別部１６により各紙幣が取扱可能紙幣であるか否かを鑑別させ、その鑑別結果を基に、取扱可能紙幣を搬送部１５により一時保留部１７へ搬送して収納させる一方、取り扱うことができないと鑑別された紙幣（以下これを入金リジェクト紙幣又はリジェクト媒体と呼ぶ）を第２出金部１４へ搬送して収納させる。
【００３１】
その後制御部１１は、鑑別した紙幣の枚数や合計金額等を所定の表示部（図示せず）に表示し、使用者に入金取引を継続するか否かを問い合わせる。ここで使用者から入金取引の継続が指示されると、制御部１１は一時保留部１７に収納されている紙幣を順次繰り出して搬送部１５により搬送させ、再度鑑別部１６において金種及び損傷の程度を鑑別させる。続いて制御部１１は、再利用可能と鑑別された紙幣をその金種に応じた紙幣収納庫１８へ搬送して収納させる一方、再利用できないと鑑別された紙幣（リジェクト紙幣）をリジェクト庫１９へ搬送して収納させる。
【００３２】
また紙幣処理装置１は、使用者から操作部（図示せず）を介して出金取引を開始する操作を受け付けると、制御部１１において所定の出金プログラムを読み出して実行することにより、出金処理を開始する。具体的に紙幣処理装置１の制御部１１は、操作部（図示せず）を介して使用者に出金額を指定させる。これに応じて制御部１１は、出金する紙幣の金種及び枚数を決定する。また制御部１１は、第１出金部１３又は第２出金部１４の何れか一方を選択して選択出金部とする。
【００３３】
次に制御部１１は、各紙幣収納庫１８から出金額に応じた金種及び枚数の紙幣を順次繰り出し、これを搬送部１５により選択出金部へ順次搬送させ、該選択出金部において集積空間内に紙幣を順次放出して集積させる。その後制御部１１は、全ての紙幣を選択出金部へ搬送し終えると、選択出金部のカバーを開放して紙幣を使用者に取り出させる。
【００３４】
このように紙幣処理装置１は、入金処理において入金部１２に紙幣を投入させ、これを１枚ずつに分離して取り込むようになっている。
【００３５】
［２．入金部の構成］
次に、入金部１２の構成について説明する。入金部１２は、図１に示したように、その一部が受渡部４における筐体２の上面よりもさらに上方に突出すると共に、残りの部分が筐体２の内部に埋め込まれている。
【００３６】
図２（Ａ）に拡大した斜視図を示すように、入金部１２における受渡部４の上面よりも上方に突出した部分は、側カバー部２１及び中央カバー部２２により入金機構部２３の周囲が覆われている。側カバー部２１及び中央カバー部２２は、全体として、中心軸を左右方向に沿わせた三角柱のような形状を形成しており、さらに前面部分や上端の稜線近傍が丸みを帯びている。
【００３７】
［２−１．カバー部の構成］
側カバー部２１は、上方に突出した部分のうち左右の両側面及びその近傍部分を占めており、筐体２に固定されている。一方、中央カバー部２２は、左右それぞれの側カバー部２１の間に挟まれた部分を占めており、図２（Ｂ）に示すように、後側に設けられた回動軸を中心として、筐体２に対し回動可能に構成されている。
【００３８】
すなわち中央カバー部２２は、回動することにより、入金部１２の内部を外部から遮蔽（すなわち閉塞）した閉塞状態（図２（Ａ））と、入金部１２の内部における前側部分を外部と連通（すなわち開放）させた開放状態（図２（Ｂ））とに遷移することができる。説明の都合上、以下では、開放状態において入金部１２の前側において開口されている部分、すなわち側カバー部２１が左右の両辺を形成し、中央カバー部２２の前面部分における下端が上辺を形成し、筐体２の一部が下辺を形成する部分を、開口部１２Ｅと呼ぶ。
【００３９】
カバー部としての中央カバー部２２は、図３（Ａ）に模式的な側面図を示すように、入金機構部２３の主に上側部分を覆うカバー本体部３１を中心に構成されている。カバー本体部３１は、光透過度の高い、すなわち透明度の高い樹脂材料により構成されており、入金機構部２３の前側における下寄りの箇所から上側を経て後側の中央付近に至るような曲面状の部分と、その左右両側を覆う平面状の部分とにより構成されている。またカバー本体部３１における前面の下寄りには、つまみ３１Ｔが設けられている。
【００４０】
カバー本体部３１の後側には、カバーフレーム３２が取り付けられている。カバーフレーム３２は、カバー本体部３１における後側面部分の下端よりも下方へ延設されており、その下端近傍に、左右方向に貫通する丸孔でなる軸孔が穿設されている。一方、入金機構部２３の背面には、軸受部３４が取り付けられている。この軸受部３４には、左右方向に貫通する丸孔でなる軸孔が穿設されている。さらに、カバーフレーム３２及び軸受部３４の軸孔には、中心軸を左右方向に沿わせた細長い円柱状に形成されたカバー回動軸３３がそれぞれ挿通されている。
【００４１】
かかる構成により中央カバー部２２は、入金機構部２３や筐体２（図３）等に対し、カバー回動軸３３を中心として回動することができる。例えば中央カバー部２２は、矢印Ｒ１方向（すなわち時計回り）に最も回動した場合、図３（Ａ）に示したように、入金機構部２３の前側にカバー本体部３１の前側部分を位置させ、開口部１２Ｅを閉塞してその内部を外部から遮蔽した閉塞状態となる。
【００４２】
入金部１２は、図２（Ａ）に示したように、中央カバー部２２が閉塞状態であるとき、カバー本体部３１の前下端が筐体２の一部分と極めて近接若しくは当接させている。これにより入金部１２は、この閉塞状態において、入金機構部２３に対する前側からのアクセスを阻止している。その一方で入金部１２は、カバー本体部３１が透明な樹脂材料により構成されているため、使用者等に対し、入金機構部２３や収納されている紙幣の様子を目視させることができる。
【００４３】
一方、中央カバー部２２は、閉塞状態において使用者によりカバー本体部３１のつまみ３１Ｔに対して上後方へ向かう力が加えられると、カバー回動軸３３を中心として矢印Ｒ２方向（すなわち反時計回り）に回動する。中央カバー部２２は、矢印Ｒ２方向に最も回動された場合、図３（Ｂ）に示すように、入金機構部２３の上側にカバー本体部３１の前側部分を位置させ、内部の空間を外部と連通させた、すなわち開口部１２Ｅを開放した開放状態となる。
【００４４】
また中央カバー部２２には、カバー本体部３１における左側板の下端近傍に、左連動レバー３５Ｌが設けられている。左連動レバー３５Ｌは、全体として前後方向に長く左右方向に薄い薄板状に形成された本体部３６を中心に構成されており、その下辺における前端近傍に、左方向へ突出した連動板３７を有している。
【００４５】
因みにカバー本体部３１の右側には、左連動レバー３５Ｌと左右対称に構成された右連動レバー３５Ｒが設けられている。説明の都合上、以下では左連動レバー３５Ｌ及び右連動レバー３５Ｒをまとめて連動レバー３５と呼ぶ。
【００４６】
［２−２．入金機構部の構成］
媒体支持部としての入金機構部２３は、図４並びに図５（Ａ）及び（Ｂ）に示すように、大きく分けて、底部２５、背部２６、左側部２７及び右側部２８、並びにバックアップ部２９により構成されている。また、入金部１２において閉塞状態である中央カバー部２２により閉塞された空間であって、入金機構部２３の前側に形成される空間をフレーム空間２４又は内部空間と呼ぶ。このフレーム空間２４の内部には、紙幣が集積された状態で収納されるようになっている（詳しくは後述する）。
【００４７】
図６に模式的な側面図を示すように、底部２５は、入金機構部２３における下側部分に位置しており、その上面が概ね平坦なフロアガイド４１となっており、後面が底部搬送ガイド４２となっている。因みに図４では、説明の都合上、中央カバー部２２及び左側部２７を省略している。
【００４８】
このフロアガイド４１は、その上側に、紙面を上下に向けた姿勢で集積された複数の紙幣、すなわち束ねられた状態の紙幣が載置されることが想定された載置面となっている。またフロアガイド４１は、前側が後側よりも高くなるように傾斜されており、集積された紙幣を後側の背部２６に寄りかからせることになる。底部搬送ガイド４２は、法線を後方向ないし後斜め上方向に向けた平面となっている。説明の都合上、以下では、上方向を集積方向とも呼び、また下方向を反集積方向とも呼ぶ。
【００４９】
底部２５内における上寄りの部分には、前後方向のほぼ中央付近にピッカローラ４３が設けられると共に、その後端にフィードローラ４４が設けられている。ピッカローラ４３は、中心軸を左右方向に沿わせた扁平な円柱状に形成されており、その周側面における一部分に、紙幣に対する摩擦力が高い高摩擦部材が取り付けられている。またピッカローラ４３は、中心部分においてピッカローラ中心軸４３Ｘに挿通されており、図示しないモータから駆動力が供給されると、このピッカローラ中心軸４３Ｘと一体に矢印Ｒ２方向へ、すなわち図６における反時計回りに回転する。
【００５０】
因みに底部２５には、図４に示したように、左右方向に沿って所定間隔ごとに複数のピッカローラ４３が配置されている。各ピッカローラ４３は、何れもピッカローラ中心軸４３Ｘ（図６）に挿通されると共に、フロアガイド４１に適宜形成された孔部を介して、それぞれの上端近傍を該フロアガイド４１よりも上側に突出させている。
【００５１】
フィードローラ４４（図６）は、ピッカローラ４３と同様、中心軸を左右方向に沿わせた扁平な円柱状に形成されており、その周側面における一部分に、紙幣に対する摩擦力が高い高摩擦部材が取り付けられている。またフィードローラ４４は、やはりピッカローラ４３と同様、中心部分においてフィードローラ中心軸４４Ｘに挿通されており、図示しないモータから駆動力が供給されると、このフィードローラ中心軸４４Ｘと一体に矢印Ｒ２方向へ、すなわち図４における反時計回りに回転する。
【００５２】
因みに底部２５には、図４に示したように、左右方向に沿って所定間隔ごとに複数のフィードローラ４４が配置されている。各フィードローラ４４は、何れもフィードローラ中心軸４４Ｘ（図６）に挿通されると共に、フロアガイド４１に適宜形成された孔部を介して、それぞれの上端近傍を該フロアガイド４１よりも上側に突出させている。
【００５３】
背部２６（図６）は、入金機構部２３における後側部分に位置しており、その前面における上側約２／３の部分が概ね平坦なフロントガイド４６となっており、その下側が背部搬送ガイド４７となっている。フロントガイド４６は、下側が上側よりも前方に位置するように傾斜しており、フロアガイド４１に対して約９０度の角度をなしている。また背部２６の前面における上側部分及び上面には、背部支持板９０が取り付けられている（詳しくは後述する）。
【００５４】
このフロントガイド４６は、その前側に、紙面を上下に向けた姿勢で集積された複数の紙幣における後側部分、すなわち各紙幣における後端部分と当接若しくは近接することにより、この集積された紙幣を支えることが想定されている。
【００５５】
背部搬送ガイド４７は、法線を前方向ないし前斜め下方向に向けた平面となっており、フロントガイド４６よりも後側に位置している。この背部搬送ガイド４７は、底部２５の底部搬送ガイド４２との間に所定の隙間を形成しており、この隙間に沿って紙幣を下方向へ案内することができる。
【００５６】
背部２６におけるフロントガイド４６及び背部搬送ガイド４７の間には、ゲートローラ４８が設けられている。このゲートローラ４８は、フィードローラ４４等と同様に、中心軸を左右方向に沿わせた扁平な円柱状に形成されている。このゲートローラ４８は、フィードローラ４４との間に、紙幣を１枚のみ通過させ得るような狭い隙間を形成している。説明の都合上、以下では、フィードローラ４４及びゲートローラ４８をまとめて分離取込部４９と呼び、両者の隙間をゲート４９Ｇと呼ぶ。
【００５７】
左側部２７（図４）は、底部２５の左側ないし上側であって、背部２６の左側ないし前側に位置しており、固定された左サイドフレーム５１Ｌを有している。この左サイドフレーム５１Ｌは、全体として左右方向に薄い板状になっており、その右側面により、フレーム空間２４における左方向の範囲を規制している。
【００５８】
左サイドフレーム５１Ｌ（図４）には、背部２６のフロントガイド４６よりも前側に、概ね上下方向に沿った、すなわち集積方向に沿った長孔でなる左サイドフレーム溝５２Ｌが形成されている。集積方向溝としての左サイドフレーム溝５２Ｌは、その長軸がフロントガイド４６の前面とほぼ平行となるように、すなわち下側が上側よりも前方に位置するように、鉛直方向に対してやや傾斜されている。また左サイドフレーム５１Ｌの右側面は、少なくとも左サイドフレーム溝５２Ｌの周辺部分において、平坦に形成されている。
【００５９】
左サイドフレーム５１Ｌの右側、すなわち入金機構部２３における中心側には、左サイドガイド５３Ｌが設けられている。左サイドガイド５３Ｌは、全体として左右方向に薄く上下方向に長い板状に形成されたサイドガイド本体部７１（詳しくは後述する）を中心に構成され、背部２６のフロントガイド４６及び底部２５のフロアガイド４１に取り付けられている。因みに入金機構部２３では、フロントガイド４６及びフロアガイド４１に対する左サイドガイド５３Ｌの取付位置を、左右方向に調整し得るようになっている（詳しくは後述する）。また以下では、左右方向をガイド方向とも呼ぶ。
【００６０】
左サイドガイド５３Ｌのサイドガイド本体部７１は、その右側面が平坦な平面状に形成されており、さらに左サイドフレーム溝５２Ｌのほぼ右側に、概ね上下方向に沿った長孔でなる左サイドガイド溝５４Ｌが形成されている。この左サイドガイド溝５４Ｌは、その長軸が該左サイドフレーム溝５２Ｌの長軸と平行であり、またその短軸が該左サイドフレーム溝５２Ｌの短軸よりもやや長くなっている。
【００６１】
右側部２８（図４及び図５）は、左側部２７とほぼ左右対称に構成されており、左サイドフレーム５１Ｌ、左サイドフレーム溝５２Ｌ、左サイドガイド５３Ｌ及び左サイドガイド溝５４Ｌとそれぞれほぼ左右対称な右サイドフレーム５１Ｒ、右サイドフレーム溝５２Ｒ、右サイドガイド５３Ｒ及び右サイドガイド溝５４Ｒを有している。すなわち右側部２８では、右サイドフレーム５１Ｒにおけるサイドガイド本体部７１の左側面がフレーム空間２４における右方向の範囲を規定している。
【００６２】
さらに入金部１２では、フレーム空間２４において、左サイドガイド５３Ｌのサイドガイド本体部７１よりも右側且つ右サイドガイド５３Ｒのサイドガイド本体部７１よりも左側の空間に、紙面を上下方向に向けた姿勢で紙幣を集積するようになっている。以下では、フレーム空間２４のうち左サイドガイド５３Ｌ及び右サイドガイド５３Ｒのサイドガイド本体部７１同士により挟まれた、紙幣を集積して収納する空間を、ガイド空間３０又は集積空間とも呼ぶ。すなわちガイド空間３０は、フロアガイド４１、フロントガイド４６、左サイドガイド５３Ｌのサイドガイド本体部７１及び右サイドガイド５３Ｒのサイドガイド本体部７１により下側、後側、左側及び右側がそれぞれ規定された空間となる。
【００６３】
実際上、入金部１２では、紙幣における長辺の長さに合わせて左サイドガイド５３Ｌ及び右サイドガイド５３Ｒの取付位置が適切に調整されることにより、ガイド空間３０における左右方向の大きさが適切に規定されている。これにより入金部１２では、紙幣の左右方向に関する位置をできるだけ中央に揃えた状態で、該紙幣を取り込むことができる。
【００６４】
説明の都合上、以下では、左サイドフレーム５１Ｌ及び右サイドフレーム５１Ｒをまとめてサイドフレーム５１と呼び、左サイドフレーム溝５２Ｌ及び右サイドフレーム溝５２Ｒをまとめてサイドフレーム溝５２又は集積方向溝と呼ぶ。また以下では、左サイドガイド５３Ｌ及び右サイドガイド５３Ｒをまとめてサイドガイド５３と呼び、左サイドガイド溝５４Ｌ及び右サイドガイド溝５４Ｒをまとめてサイドガイド溝５４と呼ぶ。
【００６５】
［２−３．バックアップ部の構成］
次に、バックアップ部２９（図４）の構成について説明する。押圧部としてのバックアップ部２９は、図７に斜視図を示すように、直方体状のバックアップ本体部６１を中心に構成されている。バックアップ本体部６１は、中空の直方体状に構成されており、下面が開放されている。
【００６６】
バックアップ本体部６１の下側には、バックアップ当接部６２が設けられている。バックアップ当接部６２は、バックアップ本体部６１よりも小さい中空の直方体状に構成されており、その上面が開放されている。因みにバックアップ当接部６２は、図示しないスプリングを介してバックアップ本体部６１に取り付けられている。
【００６７】
バックアップ本体部６１の左辺における前後方向のほぼ中央には、左バックアップ腕部６３Ｌが設けられている。左バックアップ腕部６３Ｌは、押圧接続部としての水平腕部６４及び垂直腕部６５を有している。水平腕部６４は、全体として上下方向に薄く左右方向に長い薄板状に構成されており、その上面がバックアップ本体部６１の上面部分と連続した平面を形成している。垂直腕部６５は、全体として左右方向に薄く上下方向に長い薄板状に構成されており、水平腕部６４の左端から下方へ向けて垂設されている。因みに水平腕部６４及び垂直腕部６５における前後方向の長さは、左サイドガイド溝５４Ｌ（図４）における短軸の長さよりも短く、且つ左サイドフレーム溝５２Ｌにおける短軸の長さよりも長くなっている。
【００６８】
垂直腕部６５の左側面には、左サイドフレーム５１Ｌ（図４）に対する摩擦係数が小さいスライダ６６が取り付けられている。このスライダ６６は、上下方向及び前後方向の長さが、垂直腕部６５とほぼ同等となっている。スライダ６６の左側面には、上寄り及び下寄りの２箇所に、スライドローラ６７及び６８が上下方向に沿って並べて設けられている。
【００６９】
押圧支持部としてのスライドローラ６７及び６８は、中心軸を左右方向に沿わせた円筒状に形成されており、自在に回転し得るように支持されている。スライドローラ６７及び６８における左右方向の長さは、左サイドフレーム５１Ｌにおける左サイドフレーム溝５２Ｌの近傍部分の厚さ（すなわち左右方向の長さ）よりも十分に長くなっている。またスライドローラ６７及び６８の直径は、左サイドフレーム溝５２Ｌの短軸（すなわち前後方向の間隔）よりも僅かに短くなっている。連動ローラ６９は、スライドローラ６７及び６８と同様の円筒状に形成されており、またスライドローラ６８から独立して自在に回転し得るようになっている。
【００７０】
因みにバックアップ部２９には、バックアップ本体部６１の右辺における前後方向のほぼ中央に、左バックアップ腕部６３Ｌと左右対称に構成された右バックアップ腕部６３Ｒが設けられている。また説明の都合上、左バックアップ腕部６３Ｌ及び右バックアップ腕部６３Ｒをまとめてバックアップ腕部６３とも呼ぶ。
【００７１】
ところで入金部１２では、バックアップ部２９が図７に示したように組み立てられた後、図４及び図５（Ａ）等に示したように、該バックアップ部２９が入金機構部２３のフレーム空間２４に組み込まれる。このときバックアップ部２９は、左バックアップ腕部６３Ｌ及び右バックアップ腕部６３Ｒを、左サイドガイド５３Ｌ及び右サイドガイド５３Ｒをそれぞれ介して、左側部２７及び右側部２８にそれぞれ組み込ませる。
【００７２】
具体的に左バックアップ腕部６３Ｌは、図８に拡大した模式図を示すように、入金機構部２３の組立時等に、左端側から、左サイドガイド５３Ｌの左サイドガイド溝５４Ｌ（図４）に挿通される。これにより左バックアップ腕部６３Ｌは、垂直腕部６５、スライダ６６、スライドローラ６７及び６８並びに連動ローラ６９を左サイドガイド５３Ｌよりも左側に、すなわちガイド空間３０の外側に位置させる。
【００７３】
続いて左バックアップ腕部６３Ｌは、左端側から、左側部２７における左サイドフレーム５１Ｌの左サイドフレーム溝５２Ｌに挿通される。このとき左バックアップ腕部６３Ｌは、連動ローラ６９を左サイドフレーム５１Ｌよりも左側に突き抜けさせた上で、図９に示すようにスライドローラ６７及び６８を左サイドフレーム溝５２Ｌ内に入り込ませて、スライダ６６（図８）の左側面を左サイドフレーム５１Ｌの右側面に当接させる。
【００７４】
因みにバックアップ部２９の右バックアップ腕部６３Ｒ（図７）は、左バックアップ腕部６３Ｌと左右対称となるように、右サイドガイド５３Ｒを介して右側部２８（図４）に組み込まれる。
【００７５】
この結果、バックアップ部２９は、左右それぞれにおいて、バックアップ腕部６３のスライドローラ６７及び６８をサイドフレーム溝５２にそれぞれ入り込ませ、且つスライダ６６をサイドフレーム５１の内側面に当接させた状態となる（図８）。これによりバックアップ部２９は、図６に示したように、バックアップ本体部６１の上面やバックアップ当接部６２の下面を底部２５のフロアガイド４１とほぼ平行とすることができる。
【００７６】
またバックアップ部２９は、左右のサイドフレーム５１によりスライダ６６を介して挟まれており、また上下方向に離れたスライドローラ６７及び６８をサイドフレーム溝５２の内側面に対してそれぞれ当接若しくは極めて近接させている（図９）。
【００７７】
このためバックアップ部２９は、スライドローラ６７及び６８をサイドフレーム溝５２内で摺動又は回転させ、且つスライダ６６をサイドフレーム５１に摺動させながら、上下方向へ自在に移動することができる。このときバックアップ部２９は、その姿勢を殆ど変化させること無く、すなわちバックアップ本体部６１の上面やバックアップ当接部６２の下面を底部２５のフロアガイド４１とほぼ平行に保ったまま、上下方向へ移動可能となっている。
【００７８】
バックアップ部２９は、外力が加えられていなければ、重力の作用により、下方向へ移動しようとする。このためバックアップ部２９は、ガイド空間３０内に紙幣が集積されていなければ、バックアップ当接部６２の下面をピッカローラ４３（図４）の上端近傍に当接させる。またバックアップ部２９は、ガイド空間３０内に紙幣が集積されていれば、該紙幣の上側に載置された状態となり、その自重を紙幣に作用させて、この紙幣を下方向（すなわち反集積方向）へ押圧する。
【００７９】
続いて入金部１２では、入金機構部２３にバックアップ部２９が組み付けられた状態で、中央カバー部２２（図４等）が取り付けられる。このとき中央カバー部２２の左連動レバー３５Ｌは、図８に示したように、連動板３７が連動ローラ６９よりも下側に位置するように組み付けられる。また中央カバー部２２の右連動レバー３５Ｒは、左連動レバー３５Ｌの場合と同様、連動板３７の一部分を連動ローラ６９の真下に位置させる。
【００８０】
これにより入金部１２では、中央カバー部２２の回動と、バックアップ部２９の上下方向への移動とを連動させることが可能となる。そこで以下では、左連動レバー３５Ｌの連動板３７と、左バックアップ腕部６３Ｌの連動ローラ６９とをまとめて、左連動部７０Ｌと呼ぶ。これと同様に、右連動レバー３５Ｒの連動板３７と、右バックアップ腕部６３Ｒの連動ローラ６９とをまとめて、右連動部７０Ｒ（図５（Ａ））と呼ぶ。さらに以下では、左連動部７０Ｌ及び右連動部７０Ｒをまとめて、連動部７０とも呼ぶ。
【００８１】
例えば入金部１２は、中央カバー部２２が閉塞状態であり、且つガイド空間３０内に紙幣が収納されていない場合、図１０（Ａ）に示すように、すなわち入金機構部２３においてバックアップ部２９がガイド空間３０内で最も下側に位置している。因みに図１０（Ａ）は、入金部１２の左側面図を模式的に表したものであり、一部の部品を省略若しくは簡略化している。このとき連動部７０は、各連動レバー３５の連動板３７を、各バックアップ腕部６３の連動ローラ６９から下方に引き離している。
【００８２】
入金部１２は、使用者から中央カバー部２２に対してつまみ３１Ｔ等を介して上後方向へ力が加えられると、開口部１２Ｅを徐々に開放させると共に、連動部７０において、連動レバー３５の連動板３７をバックアップ腕部６３の連動ローラ６９に当接させて連動させる。これによりバックアップ部２９は、中央カバー部２２の回動に連動して、ガイド空間３０内で上方へ持ち上げられる。
【００８３】
やがて入金部１２は、図１０（Ｂ）に示すように、中央カバー部２２が矢印Ｒ２方向（図３）へ最も回動され、開口部１２Ｅを開放させた開放状態に遷移される。このとき入金機構部２３では、図９に示したように、バックアップ部２９のバックアップ腕部６３における上側のスライドローラ６７がサイドフレーム溝５２の上端に到達し、該バックアップ部２９が最も上側に到達する。これにより入金部１２では、図４及び図５（Ａ）に示したように、ガイド空間３０におけるバックアップ当接部６２の下面とフロアガイド４１との間に、十分な高さの空間が形成される。このため入金部１２は、使用者に対し、このガイド空間３０内へ紙幣の束を投入させることができる。
【００８４】
また入金部１２は、使用者からつまみ３１Ｔに対して前下方向へ力が加えられると、中央カバー部２２を開放状態から矢印Ｒ１方向（図３）に回動させ、開口部１２Ｅを徐々に閉塞していくと共に、連動部７０によりバックアップ部２９を該ガイド空間３０内で下方へ移動させていく。
【００８５】
やがて入金部１２では、図１０（Ｃ）に示すように、バックアップ部２９におけるバックアップ当接部６２の下面が、集積されている紙幣の最上面に当接する。これによりバックアップ部２９は、紙幣の上側に載置された状態となり、重力の作用により該紙幣に対して下方向へ向かう力を作用させ、またこの紙幣により下側から支持される。
【００８６】
続いて入金部１２では、この状態から中央カバー部２２がさらに矢印Ｒ１方向へ回転すると、連動レバー３５の連動板３７がさらに下方向へ移動する一方で、バックアップ腕部６３の連動ローラ６９が下降せず、そのままの位置を維持しようとする。この結果、連動部７０は、連動板３７及び連動ローラ６９の連動を解除する。その後、中央カバー部２２は回動を継続し、やがて開口部１２Ｅを完全に閉塞した閉塞状態（図３（Ａ））に戻る。
【００８７】
かくして入金部１２では、バックアップ部２９が紙幣の上側に載置されて下方向への力を作用させるため、該紙幣の最下面からピッカローラ４３に作用する力を増加させ、両者の間に作用する摩擦力を高めることができる。この結果、入金部１２では、回転するピッカローラ４３から紙幣に対して後方へ向かう力を十分に作用させることができ、紙幣を安定的に後方へ送り出すこと、すなわち分離して取り込むことができる。
【００８８】
［２−４．サイドガイドの位置調整］
次に、入金機構部２３におけるサイドガイド５３の取付位置を調整するための構成について説明する。ここでは、左側の左サイドガイド５３Ｌに着目して説明する。右サイドガイド５３Ｒについては、左サイドガイド５３Ｌと左右対称であるため、その説明を省略する。
【００８９】
［２−４−１．サイドガイドの構成］
左サイドガイド５３Ｌは、図１１、図１２及び図１３に斜視図を示すように、大きく分けてサイドガイド本体部７１、サイドガイド支持部７２及びロック部７３により構成されている。
【００９０】
サイドガイド本体部７１は、左右方向に薄く上下方向に長い板状に形成されており、上述したように、上下方向に沿った長孔でなる左サイドガイド溝５４Ｌが形成されている。またサイドガイド本体部７１の下辺における前端近傍には、下方へ向けて前下係合突起８１が立設されている。この前下係合突起８１は、前後方向に長く、上下方向に短く、左右方向に薄い微小な直方体状ないし板状に形成されている。
【００９１】
一方、入金機構部２３における底部２５のフロアガイド４１（図４及び図５）には、４個のフロア位置決め孔４１Ｈが形成されている。各フロア位置決め孔４１Ｈは、フロアガイド４１の前左端近傍における、左右方向に沿って離散した４箇所にそれぞれ配置されている。
【００９２】
各フロア位置決め孔４１Ｈは、上方から見た形状が長方形状であり、いわゆる角孔となっており、左右方向及び前後方向の長さが、サイドガイド本体部７１の前下係合突起８１よりも僅かに大きくなっている。この４個のフロア位置決め孔４１Ｈは、その何れかに、上述したサイドガイド本体部７１の前下係合突起８１が挿通されるようになっている（詳しくは後述する）。因みにフロアガイド４１の前右端近傍には、前左端近傍と同様に、４個のフロア位置決め孔４１Ｈが形成されている。
【００９３】
サイドガイド支持部７２は、全体として、上下方向よりも左右方向がやや短く、且つ前後方向に薄い板状に形成されており、サイドガイド本体部７１の後辺上寄りから右方向へ、すなわち内側へ向けて立設されている。
【００９４】
このサイドガイド支持部７２は、前後方向に薄くほぼ鉛直方向に沿った板状の鉛直部７５と、該鉛直部７５の上端から後ろ斜め上方へ延長された板状の傾斜部７６と、該傾斜部７６の後端から上方へ短く延長された後端部７７とにより構成されている。因みにサイドガイド支持部７２は、鉛直部７５、傾斜部７６及び後端部７７における左右方向の長さが、互いにほぼ同等となっている。
【００９５】
基部としての傾斜部７６には、右寄り（すなわち内側寄り）の部分に、上下方向に貫通した４個の位置決め孔８３が形成されている。ガイド側係合部及び孔部としての位置決め孔８３は、前後方向に対して左右方向が短い角孔となっており、その後辺が後端部７７に隣接している。各位置決め孔８３は、傾斜部７６に対し、左右方向に沿って離散的に整列するように配置されている。またサイドガイド支持部７２に形成された各位置決め孔８３の間隔は、フロアガイド４１における各フロア位置決め孔４１Ｈの間隔と同等に揃えられている。
【００９６】
ロック部７３は、サイドガイド支持部７２の鉛直部７５における後面であって、上下方向の中央付近且つやや左寄りの箇所、詳細には傾斜部７６における位置決め孔８３よりも左側の箇所から、後ろ斜め上方に向けて立設されている。
【００９７】
このロック部７３は、図１３に示すように、鉛直部７５から後ろ斜め上方へ向かう板状の下傾斜部８５と、該下傾斜部８５の後端から上方へ向かう板状の鉛直部８６と、該鉛直部８６の上端から前斜め上方へ向かう比較的短い上傾斜部８７とにより構成されている。また鉛直部８６の後面における上端よりもやや下側には、後ろ斜め上方へ向けて、保持部としての係合爪部８８が立設されている。因みにロック部７３は、下傾斜部８５、鉛直部８６、上傾斜部８７及び係合爪部８８における左右方向の長さが、互いにほぼ同等となっている。
【００９８】
ところで左サイドガイド５３Ｌは、所定の樹脂材料が成型加工されて製造されており、サイドガイド本体部７１、サイドガイド支持部７２及びロック部７３が一体の部品として構成されている。このうちサイドガイド本体部７１及びサイドガイド支持部７２は、十分な厚さを有することにより剛性が比較的高くなっており、容易に変形しないようになっている。一方、ロック部７３は、やや薄く構成されており、切替操作部としての上傾斜部８７に対して前後方向へ向かう外力が加えられると、該ロック部７３全体を撓ませるようにして弾性変形し、この外力の印加が解除されると、元の形状に戻ろうとして弾性力を作用させるようになっている。このためロック部７３は、仮に上傾斜部８７に前方へ向かう力が加えられると、全体的に撓むと共に、該上傾斜部８７や係合爪部８８を後方向へ付勢する付勢作用を生じさせる。そこで以下では、ロック部７３を付勢部材とも呼ぶ。
【００９９】
また左サイドガイド５３Ｌでは、前方から見た場合、サイドガイド支持部７２における傾斜部７６の位置決め孔８３がサイドガイド支持部７２の後端部７７よりもやや下側に見える一方、ロック部７３における上傾斜部８７の上側部分が、該後端部７７よりも上側に見える。このため、仮に後端部７７よりも上側が他の部材等により覆われた場合、使用者や作業者に対し、位置決め孔８３を見せ得る一方、ロック部７３の上傾斜部８７を見せることや触れさせることができなくなる。
【０１００】
［２−４−２．背部支持板の構成］
次に、背部２６（図４及び図５）に設けられている背部支持板９０について説明する。背部支持板９０は、背部２６におけるフロントガイド４６の上端近傍から上面部分に渡る部分に取り付けられている。
【０１０１】
図１４に示すように、背部支持板９０は、大きく分けて前側に位置する前部９１と、上側に位置する上部９２とにより構成されている。前部９１は、左右方向に長く前後方向に薄い板状に形成されており、フロントガイド４６の上端近傍を形成している。上部９２は、左右方向に長く上下方向に薄い板状に形成されており、前部９１の上端から後方へ向けて立設されている。因みに背部支持板９０は、例えば１枚の金属板が所定形状に切削された後、前部９１及び上部９２の接続部分において屈曲されることにより製造される。
【０１０２】
図１４の一部を拡大した図１５に示すように、背部支持板９０の左端寄りであって、前部９１から上部９２に渡る範囲には、比較的大きな貫通孔でなる左貫通孔部９３Ｌが穿設されている。左貫通孔部９３Ｌは、前部９１に形成された比較的大きな角孔と、上部９２に形成された比較的大きな角孔とが、前部９１及び上部９２の稜線で互いに接続されたような形状となっている。説明の都合上、以下では左貫通孔部９３Ｌのうち上部９２の後辺及び右辺をそれぞれ孔部後辺９４及び孔部上側辺９５と呼ぶ。
【０１０３】
孔部上側辺９５には、上方へ向けて差込突起部９６及び位置指示部９７が立設されている。支持側係合部及び突起部としての差込突起部９６は、左右方向に薄く、前後方向に対して上下方向に長い小さな直方体状に形成されている。位置指示部９７は、差込突起部９６と同様に左右方向に薄く、差込突起部９６よりも前後方向に長く、上下方向に短い小さな直方体状に形成されている。この差込突起部９６及び位置指示部９７は、互いに連接されており、右方向から見て英文字の「Ｌ」に似た形状となっている。換言すれば、位置指示部９７は、差込突起部９６に対して、左右方向（すなわちガイド方向）と交差する後方向側に位置しており、前後方向に沿って直線状に配置されている。
【０１０４】
差込突起部９６は、上下方向の長さ、すなわち上部９２の上面からの突出距離が、サイドガイド５３のサイドガイド支持部７２における傾斜部７６の厚さ（すなわち上下方向の長さ）よりも、十分に大きく（すなわち長く）なっている。この差込突起部９６は、上述したサイドガイド支持部７２に形成された４個の位置決め孔８３の何れかに挿通されるようになっている（詳しくは後述する）。
【０１０５】
因みに背部支持板９０の右端寄りであって、前部９１から上部９２に渡る範囲には、左貫通孔部９３Ｌと左右対称に構成された右貫通孔部９３Ｒ（図１４）が設けられている。
【０１０６】
［２−４−３．サイドガイドの取付及び位置調整］
ところで紙幣処理装置１は、設置される国や地域によって、取り扱う紙幣の種類が異なり、その大きさも異なる。このため入金部１２では、取り扱う紙幣の大きさ、特に長手方向の長さが判明すると、ガイド空間３０における左右方向の長さ、すなわち入金機構部２３に対してサイドガイド５３を取り付けるべき位置が決定される。
【０１０７】
具体的に入金機構部２３では、サイドガイド５３のサイドガイド支持部７２に形成された４箇所の位置決め孔８３（図１３等）のうち、背部支持板９０の差込突起部９６（図１５）を差し込むべき箇所が選定される。また入金機構部２３では、底部２５のフロアガイド４１に形成された４箇所のフロア位置決め孔４１Ｈ（図４等）のうち、サイドガイド本体部７１の前下係合突起８１（図１１等）を係合させるべき箇所が選定される。
【０１０８】
そのうえで入金機構部２３では、その製造工程において、作業者により、入金機構部２３にサイドガイド５３が取り付けられる。例えば左サイドガイド５３Ｌは、まず入金機構部２３におけるフレーム空間２４内の左端近傍、すなわち左サイドフレーム５１Ｌの近傍に寄せられる。
【０１０９】
このとき左サイドガイド５３Ｌは、作業者により、サイドガイド本体部７１を左側に向けると共にサイドガイド支持部７２を後側に向けた姿勢とされる。また左サイドガイド５３Ｌは、フレーム空間２４内において、フロアガイド４１からやや上方に離れると共に、フロントガイド４６及び背部支持板９０の前部９１からやや前方に離れた位置に、すなわち宙に浮いた状態に支持される。
【０１１０】
このとき左サイドガイド５３Ｌは、サイドガイド支持部７２において位置決め孔８３が形成されている傾斜部７６の下面を、背部支持板９０における差込突起部９６の上端よりも上側に位置させている。また左サイドガイド５３Ｌは、ロック部７３をフロントガイド４６よりも前側に位置させている。
【０１１１】
この状態で左サイドガイド５３Ｌは、まず後方へ変位されることにより、サイドガイド本体部７１の後端やサイドガイド支持部７２の後面を、フロントガイド４６や背部支持板９０の前部９１等に当接させる。このとき左サイドガイド５３Ｌのロック部７３（図１３）は、下傾斜部８５や鉛直部８６の下側部分を背部支持板９０の左貫通孔部９３Ｌ（図１５）内に入り込ませるものの、該鉛直部８６の上側部分を孔部後辺９４に当接させた後、さらに左サイドガイド５３Ｌ全体が後方へ押し付けられる。これによりロック部７３は、上傾斜部８７及びその近傍を前方へ倒すようにして撓んだ状態となる。
【０１１２】
次に左サイドガイド５３Ｌは、やや下方へ変位されることにより、サイドガイド支持部７２における傾斜部７６（図１２）の下面を、背部支持板９０における差込突起部９６の上端に当接させる。このとき入金機構部２３では、作業者がフレーム空間２４を前斜め上方から見下ろすようにしてサイドガイド支持部７２の傾斜部７６における位置決め孔８３の近傍を目視した場合、該傾斜部７６により差込突起部９６が隠れているものの、後端部７７の後方に位置指示部９７（図１５）を視認することができる。
【０１１３】
この状態で作業者は、左サイドガイド５３Ｌの後側部分に関して、紙幣の大きさに応じて選定された位置決め孔８３を位置指示部９７に合わせるようにして、サイドガイド支持部７２における左右方向の位置を調整する。またこのとき作業者は、左サイドガイド５３Ｌの前側部分に関して、紙幣の大きさに応じて選定されたフロア位置決め孔４１Ｈ（図４等）にサイドガイド本体部７１の前下係合突起８１を合わせるようにして、該サイドガイド本体部７１における左右方向の位置を微調整する。
【０１１４】
続いて作業者は、左サイドガイド５３Ｌをさらに下方へ押し込む。このとき左サイドガイド５３Ｌは、図１６に示すように、後側部分において、選定された位置決め孔８３に差込突起部９６を挿通させ、該差込突起部９６の上端近傍をサイドガイド支持部７２における傾斜部７６の上面よりも上側に突出させる。これにより左サイドガイド５３Ｌは、後側部分において、左右方向及び前後方向の位置が精度良く定められる。以下、位置決め孔８３に差込突起部９６が挿通された状態を係合状態とも呼ぶ。
【０１１５】
また左サイドガイド５３Ｌは、前側部分において、選定されたフロア位置決め孔４１Ｈ（図４等）にサイドガイド本体部７１の前下係合突起８１を挿入させて係合させる（図５等）。これにより左サイドガイド５３Ｌは、前側部分においても、左右方向及び前後方向の位置が精度良く定められる。
【０１１６】
これに加えて左サイドガイド５３Ｌのロック部７３（図１３）は、下方向へ押し込まれる途中で、係合爪部８８が背部支持板９０の孔部後辺９４（図１５）から前方へ向かう力を受け、一時的に、上傾斜部８７及びその近傍をさらに前方へ倒すようにして撓んだ状態となる。その直後にロック部７３は、さらに下方向へ押し込まれることにより、係合爪部８８が孔部後辺９４よりも下側に到達すると、復元力の作用により、上傾斜部８７及びその近傍を後方へ押し戻し、係合爪部８８を孔部後辺９４の下側に入り込ませた状態、すなわちロックした状態となる（図１６）。これにより左サイドガイド５３Ｌは、上方向への移動が禁止された状態となり、上方向へ向かう力が加えられたとしても、ロック部７３を孔部後辺９４にロックさせた状態を維持することができる。
【０１１７】
すなわち左サイドガイド５３Ｌは、位置決め孔８３に差込突起部９６を挿通させ、前下係合突起８１をフロア位置決め孔４１Ｈに挿入させ、さらにロック部７３を孔部後辺９４にロックさせることにより、入金機構部２３に対して左右方向、前後方向及び上下方向の位置が固定される。因みに右サイドガイド５３Ｒは、左サイドガイド５３Ｌと左右対称の作業工程を経て、入金機構部２３に対して固定される。
【０１１８】
ところで紙幣処理装置１では、例えば製造後に出荷されて実際に使用が開始されてから、国や地域においてこれまでと異なる大きさの紙幣が新たに発行されるなどして、取り扱う紙幣の大きさが変更される場合がある。このとき入金部１２では、側カバー部２１や筐体２を分解することなく、サイドガイド５３の取付位置を変更し得るようになっている。
【０１１９】
具体的に入金部１２では、まず、ガイド空間３０に紙幣を収納していない状態において、作業者により中央カバー部２２（図２（Ｂ）及び図５（Ａ））が開けられ、開口部１２Ｅを開放した開放状態になる。このとき入金部１２では、フレーム空間２４において、上述した連動部７０の作用により、バックアップ部２９が持ち上げられている。
【０１２０】
このとき入金部１２では、図５（Ａ）に示したように、バックアップ部２９におけるバックアップ当接部６２の下端が、サイドガイド５３におけるサイドガイド支持部７２の後端部７７とほぼ同等の高さとなっている。このため入金部１２では、開口部１２Ｅを正面から覗き込んだ作業者に対し、傾斜部７６の位置決め孔８３やこれに挿通された差込突起部９６を見せることができ、サイドガイド５３の取付位置を確認させることができる。その一方で入金部１２では、バックアップ部２９をロック部７３における上傾斜部８７のほぼ前側ないし上側に位置させているため、該上傾斜部８７を見せることや指先を触れさせることを抑止している。
【０１２１】
ここで作業者は、連動レバー３５を一時的に外方へ撓ませるなどして連動ローラ６９との係合を解除させ、該連動ローラ６９を該連動レバー３５よりも下側に位置させる。これにより入金部１２は、中央カバー部２２とバックアップ部２９との連動が解除され、中央カバー部２２を開放状態としたまま、図５（Ｂ）に示したように、バックアップ部２９が下降してガイド空間３０内における最下部に位置する。このとき入金部１２では、サイドガイド支持部７２の傾斜部７６やロック部７３の上傾斜部８７に対して外部からアクセスし得る状態、すなわち該傾斜部７６及び上傾斜部８７の前方や上方に他の部材が無く、且つ外部と連通された状態となる。
【０１２２】
この状態で作業者は、外部から開口部１２Ｅを介して指先をガイド空間３０内（すなわちフレーム空間２４内）における上傾斜部８７の近傍に到達させる。続いて作業者は、例えば指先によりサイドガイド支持部７２の鉛直部７５及びロック部７３の上傾斜部８７を前後方向から挟むようにして、該ロック部７３を撓ませながら上傾斜部８７を前方に倒すことにより、係合爪部８８と背部支持板９０の孔部後辺９４との係合を解除させる。
【０１２３】
さらに作業者は、指先で鉛直部７５及び上傾斜部８７をつまんだ状態のまま、サイドガイド５３全体を上方へ引き上げて変位させる。これによりサイドガイド５３は、位置決め孔８３を差込突起部９６から引き抜き、且つ前下係合突起８１をフロア位置決め孔４１Ｈから引き抜いた状態、すなわち入金機構部２３から取り外され、取付前と同様に、フレーム空間２４内を左右方向へ自由に移動し得る状態となる。
【０１２４】
これにより入金部１２は、作業者に対し、製造時と同様の手順により、新たな取付位置に合わせて、すなわち新たに選択された位置決め孔８３及びフロア位置決め孔４１Ｈに差込突起部９６及び前下係合突起８１をそれぞれ合わせるようにして、左サイドガイド５３Ｌを再び取り付けさせることができる。また入金部１２は、右サイドガイド５３Ｒについても、入金機構部２３から取り外させた上で、新たな取付位置に合わせて取り付けさせることができる。
【０１２５】
因みに入金部１２では、バックアップ部２９のバックアップ腕部６３がサイドガイド５３のサイドガイド溝５４に挿通されている（図８）。このため入金部１２では、バックアップ腕部６３がサイドガイド溝５４を介してサイドガイド５３の移動範囲を規制しており、入金機構部２３から取り外された該サイドガイド５３をフレーム空間２４内に留めて、紛失させないようになっている。
【０１２６】
また入金部１２では、取り外されたサイドガイド５３の位置決め孔８３を差込突起部９６から引き抜いた後で、サイドガイド溝５４における下端が、最も下側に位置するバックアップ部２９のバックアップ腕部６３に当接するよう、各部の大きさや配置が定められている。
【０１２７】
［３．動作及び効果］
以上の構成において、紙幣処理装置１の入金部１２では、サイドガイド５３のサイドガイド支持部７２における上側の傾斜部７６に４箇所の位置決め孔８３を形成すると共に、背部２６に取り付ける背部支持板９０に差込突起部９６を設け、何れかの位置決め孔８３に差込突起部９６を挿通させるようにした（図１６）。
【０１２８】
また入金部１２は、入金機構部２３にサイドガイド５３を取り付けたときに、ロック部７３の係合爪部８８を背部支持板９０の孔部後辺９４に係合させるようにし、且つロック部７３の上傾斜部８７を位置決め孔８３の近傍に位置させた（図１３、図１６等）。
【０１２９】
このため入金部１２では、作業者に中央カバー部２２を開放状態にさせて開口部１２Ｅを開放させ、且つバックアップ部２９との連動を解除させることにより（図５（Ｂ））、位置決め孔８３及び差込突起部９６並びに上傾斜部８７等に対して容易にアクセスさせること、すなわち目視させながら指先で直接触れさせることができる。これにより入金部１２では、金融機関等に設置済の紙幣処理装置１において、側カバー部２１や筐体２等を取り外させることなく、入金部１２の中央カバー部２２を開放させるだけで、サイドガイド５３の取付位置を極めて容易に変更させることができる。
【０１３０】
また入金部１２では、サイドガイド５３のサイドガイド本体部７１における前下端近傍に前下係合突起８１を設ける一方、フロアガイド４１（図４）に左右方向に沿って並ぶ４個のフロア位置決め孔４１Ｈを設けた。このため入金部１２では、サイドガイド５３を後側部分において位置決め孔８３に差込突起部９６を挿通させて位置決めすることに加えて、前側部分において前下係合突起８１をフロア位置決め孔４１Ｈに挿通させて位置決めすることができる。これにより入金部１２では、入金機構部２３に対してサイドガイド５３を前側及び後側の双方により、極めて安定的に固定することができる。
【０１３１】
さらに入金部１２では、サイドガイド５３の位置決め孔８３を傾斜部７６において主に上下方向に沿って貫通する孔とし（図１３）、またフロアガイド４１に形成するフロア位置決め孔４１Ｈも主に上下方向に沿った孔とした。すなわち入金部１２では、入金機構部２３からサイドガイド５３を取り外す場合に移動する方向が主に上下方向となり、該サイドガイド５３に対して前後方向や左右方向に力が加えられたとしても、取り付けられた状態を積極的に維持できる。
【０１３２】
これにより入金部１２では、使用者が入金取引等において開口部１２Ｅを介して紙幣を投入するときに、紙幣束の側面との摩擦で後方向へ向かう力を受けた場合や、使用者がガイド空間３０内から紙幣を取り出そうとして、紙幣束の側面との摩擦で前方向へ向かう力を受けたとしても、サイドガイド５３が取り付けられた状態を安定的に維持できる。
【０１３３】
そのうえ入金部１２では、背部支持板９０における差込突起部９６の上下方向の長さを、サイドガイド５３のサイドガイド支持部７２における傾斜部７６の上下方向の長さ、すなわち位置決め孔８３における上下方向の長さ（深さ）よりも長くした。このため入金部１２では、位置決め孔８３に挿通された差込突起部９６の上端近傍を、サイドガイド支持部７２における傾斜部７６の上面よりも上方に突出させることができる（図１６）。これにより入金部１２では、差込突起部９６が挿通されている位置決め孔８３を容易に特定させること、すなわち入金機構部２３に対するサイドガイド５３の取付位置を容易に確認させることができる。
【０１３４】
さらに入金部１２では、中央カバー部２２を光透過性の高い樹脂材料により構成した。このため入金部１２では、中央カバー部２２により開口部１２Ｅを閉塞した閉塞状態（図２（Ａ））においても、作業者に外側から位置決め孔８３の近傍を視認させること、すなわち入金機構部２３に対するサイドガイド５３の取付位置を容易に確認させることができる。具体的に作業者は、サイドガイド支持部７２の傾斜部７６に設けられた各位置決め孔８３と、その何れに差込突起部９６の差込突起部９６が挿通されているのかを、すなわちサイドガイド５３の左右方向に関する取付位置を、確認することができる。
【０１３５】
これに加えて入金部１２では、差込突起部９６の後方に位置指示部９７（図１５）を形成した。このため入金部１２では、中央カバー部２２を介して、作業者がガイド空間３０を前斜め上方から目視した場合、サイドガイド５３の傾斜部７６により差込突起部９６が隠れているものの、後端部７７の後方に位置指示部９７を視認させることができる。これにより入金部１２では、作業者に対し、所望の位置決め孔８３を差込突起部９６に挿通させるよう、サイドガイド５３における左右方向の位置を調整する場合に、その作業性を格段に高めて、容易に且つ短時間で完了させることができる。
【０１３６】
さらにサイドガイド５３では、サイドガイド支持部７２における傾斜部７６に位置決め孔８３を設ける一方、ロック部７３を該サイドガイド支持部７２とは別体の構成とした（図１２及び図１３）。これによりサイドガイド５３は、サイドガイド支持部７２の強度を高めて位置決め孔８３が背部支持板９０の差込突起部９６に挿通されたときに安定的に支持させることと、ロック部７３の強度をやや弱めに設定して弾性変形を容易に行わせることとを、高い次元で両立させることができる。
【０１３７】
また入金部１２では、中央カバー部２２を開放状態としたときに、連動部７０（図８及び図９）の作用によりバックアップ部２９を持ち上げ、バックアップ当接部６２の下側に紙幣を投入するための十分な空間を形成すると共に、該バックアップ当接部６２の下面をサイドガイド支持部７２の後端部７７と同等の高さに合わせるようにした（図５（Ａ））。
【０１３８】
これにより入金部１２では、一般の使用者が紙幣を投入する目的で中央カバー部２２を開放状態に遷移させたときに、ロック部７３の上傾斜部８７に対するアクセスをバックアップ部２９によって抑制することができる。すなわち入金部１２では、連動部７０における連動板３７及び連動ローラ６９の連動を解除する手法を知っている作業者等によってのみ、中央カバー部２２とバックアップ部２９との連動を解除させた上で、サイドガイド５３の取付位置を変更させることができる。
【０１３９】
その一方で入金部１２では、作業者に対し、連動部７０の連動を解除させなくとも、後端部７７よりも低い傾斜部７６に形成された位置決め孔８３や、その何れかに挿通された差込突起部９６を視認させ、サイドガイド５３の取付位置を確認させることができる。
【０１４０】
以上の構成によれば、紙幣処理装置１の入金部１２では、フレーム空間２４において、背部支持板９０の差込突起部９６をサイドガイド５３の位置決め孔８３に挿通させると共に、ロック部７３の係合爪部８８を背部支持板９０の孔部後辺９４に係合させて、該サイドガイド５３を入金機構部２３に取り付けるようにした。このため入金部１２では、側カバー部２１や筐体２等を取り外させることなく、作業者に中央カバー部２２を開放状態にさせて開口部１２Ｅを開放させ、さらにバックアップ部２９との連動を解除させることにより、上傾斜部８７等に対して容易にアクセスさせることができ、サイドガイド５３の取付位置を極めて容易に変更させることができる。
【０１４１】
［４．他の実施の形態］
なお上述した実施の形態においては、サイドガイド５３のサイドガイド支持部７２における傾斜部７６に位置決め孔８３（図１３）を設けると共に、背部支持板９０に差込突起部９６（図１５）を設ける場合について述べた。しかしながら本発明はこれに限らず、例えば傾斜部７６の下面に下方へ突出した差込突部を形成すると共に、背部支持板９０に複数の位置決め孔を設けても良い。また、図１７（Ａ）〜（Ｃ）に示すように、入金部１１２において、左サイドガイド１５３Ｌの傾斜部１７６に丸孔でなる位置決め孔１８３を複数形成すると共に、背部支持板１９０に短い円柱状の差込突起部１９６を設けても良い。或いは、図１８（Ａ）〜（Ｃ）に示すように、入金部２１２において、左サイドガイド２５３Ｌの傾斜部２７６に角孔でなる位置決め孔２８３を複数形成するとともに、背部支持板２９０の孔部後辺２９４に位置決め孔２８３よりも少ない複数の角柱状の差込突起部２９６を設けても良い。要は、サイドガイドの傾斜部及び背部支持板にそれぞれ種々の形状を形成し、これらを適宜係合させることにより、該サイドガイドの位置を定めることができれば良い。またこれらの場合、作業者が位置決め孔等を前方や上方から見た場合に、差込突部が差し込まれている位置決め孔を視認できること、すなわち入金機構部に対するサイドガイドの取付位置を確認できることが望ましい。またこれらの場合、サイドガイドを左右方向に関して離散的な複数箇所に取り付ける以外にも、連続的な任意の箇所に取り付けるようにしても良い。
【０１４２】
また上述した実施の形態においては、傾斜部７６に位置決め孔８３を上下方向に貫通する孔として形成し（図１１等）、該位置決め孔８３を貫通した差込突起部９６の上端近傍を傾斜部７６の上面よりも上方へ突出させる場合について述べた（図１６）。しかしながら本発明はこれに限らず、例えば位置決め孔８３を傾斜部７６の下面側に、上面に到達しない窪みとして形成し、差込突起部９６を該位置決め孔８３に挿入させることにより位置決めしても良い。この場合、位置指示部９７によってサイドガイド５３の取付位置を確認できれば良い。
【０１４３】
さらに上述した実施の形態においては、サイドガイド本体部７１の前下係合突起８１（図１１等）を左右方向に薄い板状に形成すると共に、フロアガイド４１に形成する４箇所のフロア位置決め孔４１Ｈ（図４等）を前後方向に長い角孔とする場合について述べた。しかしながら本発明はこれに限らず、位置決め孔８３及び差込突起部９６の場合と同様に、それぞれを種々の形状として互いに係合させても良い。或いは、例えば位置決め孔８３及び差込突起部９６によりサイドガイド５３における前側部分も十分に固定できる場合に、前下係合突起８１及びフロア位置決め孔４１Ｈを省略しても良い。
【０１４４】
さらに上述した実施の形態においては、位置決め孔８３が形成されたサイドガイド支持部７２とは別に構成されたロック部７３の係合爪部８８（図１３等）を背部支持板９０の孔部後辺９４に係合させることにより、入金機構部２３にサイドガイド５３が取り付けられた状態を保持する場合について述べた（図１６）。しかしながら本発明はこれに限らず、例えばサイドガイド５３における同一の部品に位置決め孔８３及び係合爪部８８を設けても良い。また、ロック部７３の弾性変形を利用して係合爪部８８を孔部後辺９４に係合させてサイドガイド５３が取り付けられた状態を維持し、或いはこれを解除する構成に限らず、例えばねじを用いる等、種々の構成を利用することにより、サイドガイド５３が取り付けられた状態を維持し、或いはこれを解除するようにしても良い。
【０１４５】
さらに上述した実施の形態においては、サイドガイド５３に設けたロック部７３の係合爪部８８を背部支持板９０の孔部後辺９４に係合させる場合について述べた（図１６）。しかしながら本発明はこれに限らず、例えば背部支持板９０側にロック部を設け、該ロック部の係合爪部をサイドガイド５３側の一部分に係合させることにより、該サイドガイド５３の取付状態を保持するようにしても良い。
【０１４６】
さらに上述した実施の形態においては、差込突起部９６の後側に板状の位置指示部９７を設ける場合について述べた（図１５）。しかしながら本発明はこれに限らず、例えば差込突起部９６の左斜め後方等、種々の位置に種々の形状でなる位置指示部９７を設けても良い。要は、傾斜部７６や後端部７７により隠されずに、差込突起部９６の位置を示すような位置及び形状であれば良い。或いは、該位置指示部９７を省略しても良い。
【０１４７】
さらに上述した実施の形態においては、位置決め孔８３を主に上下方向に沿った形状とし（図１１）、また差込突起部９６を主に上下方向に沿った直方体状に形成して（図１５）、入金機構部２３に対してサイドガイド５３を上下方向へ移動させることにより、該サイドガイド５３の取付及び取り外しを行う場合について述べた。しかしながら本発明はこれに限らず、位置決め孔８３及び差込突起部９６をそれぞれ他の種々の形状とすることにより、サイドガイド５３を前後方向等、他の方向へ移動させることにより取付及び取り外しを行うようにしても良い。
【０１４８】
さらに上述した実施の形態においては、サイドガイド支持部７２における上側の傾斜部７６に位置決め孔８３を設けると共に（図１１）、差込突起部９６が形成された背部支持板９０をフロントガイド４６の上端近傍に取り付ける場合について述べた（図６）。しかしながら本発明はこれに限らず、例えばサイドガイド支持部７２の下端近傍に位置決め孔８３を設けると共に、差込突起部９６が形成された背部支持板９０をフロントガイド４６の下端近傍やフロアガイド４１の後端近傍に設けても良い。
【０１４９】
さらに上述した実施の形態においては、サイドガイド５３にサイドガイド溝５４を設け、該サイドガイド溝５４にバックアップ部２９のバックアップ腕部６３を挿通させる場合について述べた（図８）。しかしながら本発明はこれに限らず、例えばサイドガイド５３と干渉しない位置にバックアップ腕部６３を配置し、サイドガイド溝５４を省略しても良い。
【０１５０】
さらに上述した実施の形態においては、中央カバー部２２を開放状態としたときに、バックアップ部２９におけるバックアップ当接部６２の下端をサイドガイド支持部７２の後端部７７と同等の高さとして、傾斜部７６の位置決め孔８３等を目視させながら、ロック部７３の上傾斜部８７に対するアクセスを抑制する場合について述べた（図５（Ａ））。しかしながら本発明はこれに限らず、例えば中央カバー部２２を開放状態としたときに、バックアップ当接部６２の下端を後端部７７よりも高く位置させて上傾斜部８７に対するアクセスを抑制しないようにしても良い。或いは、バックアップ当接部６２の下端を後端部７７よりも低く位置させて傾斜部７６の位置決め孔８３等を目視させないようにしても良い。
【０１５１】
さらに上述した実施の形態においては、連動部７０により中央カバー部２２とバックアップ部２９とを連動させる場合について述べた（図１０）。しかしながら本発明はこれに限らず、例えば中央カバー部２２の開閉とバックアップ部２９の上下方向への移動とを互いに独立させても良い。この場合、例えば図５（Ｂ）に示した場合と同様に、中央カバー部２２を開放状態としながらバックアップ部２９を下方に位置させることにより、上傾斜部８７に対するアクセスが可能となる。
【０１５２】
さらに上述した実施の形態においては、中央カバー部２２を光透過度の高い樹脂材料により構成する場合について述べた。しかしながら本発明はこれに限らず、例えば光透過度の低い材料により構成し、中央カバー部２２が閉塞状態であるときに入金部１２の外側から位置決め孔８３等を視認し難くし、或いは視認できないようにしても良い。これにより、第三者に入金部１２の内部が不用意に覗き見られる可能性を格段に抑えて、セキュリティ性を向上させることができる。なお、この場合であっても、中央カバー部２２を開放状態とし、さらに連動部７０による連動を解除してバックアップ部２９を下方に位置させることにより、位置決め孔８３等を視認することができる。
【０１５３】
さらに上述した実施の形態においては、サイドガイド５３のサイドガイド支持部７２における傾斜部７６に４箇所の位置決め孔８３を設けると共に（図１１）、フロアガイド４１（図４）に４箇所のフロア位置決め孔４１Ｈを設ける場合について述べた。しかしながら本発明はこれに限らず、位置決め孔８３及びフロア位置決め孔４１Ｈを、それぞれ３箇所以下又は５箇所以上設けても良い。
【０１５４】
さらに上述した実施の形態においては、左サイドガイド５３Ｌ及び右サイドガイド５３Ｒの双方を位置調整する場合について述べた。しかしながら本発明はこれに限らず、例えば左サイドガイド５３Ｌ及び右サイドガイド５３Ｒの何れか一方を位置調整するように
しても良い。
【０１５５】
さらに上述した実施の形態においては、フレーム空間２４内において、ガイド空間３０における左右方向の範囲を規定するサイドガイド５３に本発明を適用する場合について述べた。しかしながら本発明はこれに限らず、例えばガイド空間３０における上下方向の範囲や前後方向の範囲等、種々の方向の範囲を規定するガイドに本発明を適用しても良い。
【０１５６】
さらに上述した第１の実施の形態においては、媒体としての紙幣を取り扱う紙幣処理装置１の入金部１２に本発明を適用する場合について述べた。しかしながらこれに限らず、例えば各種証券や金券、或いは入場券のような紙葉状の媒体、若しくは種々の形状の媒体を取り扱う種々の装置において、当該媒体を取り込む取込部に本発明を適用するようにしても良い。
【０１５７】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【０１５８】
さらに上述した実施の形態においては、開口部としての開口部１２Ｅと、カバー部としての中央カバー部２２と、媒体支持部としての入金機構部２３と、分離取込部としての分離取込部４９と、ガイド部としてのサイドガイド５３と、支持側係合部としての差込突起部９６と、ガイド側係合部としての位置決め孔８３と、保持部としての係合爪部８８と、切替操作部としての上傾斜部８７とによって媒体取込装置としての入金部１２を構成する場合について述べた。しかしながら本発明はこれに限らず、その他種々の構成でなる開口部と、カバー部と、媒体支持部と、分離取込部と、ガイド部と、支持側係合部と、ガイド側係合部と、保持部と、切替操作部とによって媒体取込装置を構成しても良い。
【産業上の利用可能性】
【０１５９】
本発明は、媒体を内部に取り込む取込部を有する種々の装置でも利用できる。
【符号の説明】
【０１６０】
１……紙幣処理装置、２……筐体、４……受渡部、１２……入金部、１２Ｅ……開口部、１５……搬送部、１６……鑑別部、２１……側カバー部、２２……中央カバー部、２３……入金機構部、２４……フレーム空間、２５……底部、２６……背部、２７……左側部、２８……右側部、２９……バックアップ部、３０……ガイド空間、３５……連動レバー、４１……フロアガイド、４１Ｈ……フロア位置決め孔、４６……フロントガイド、４９……分離取込部、５１……サイドフレーム、５２……サイドフレーム溝、５３……サイドガイド、５４……サイドガイド溝、６３……バックアップ腕部、６４……水平腕部、６５……垂直腕部、６７、６８……スライドローラ、７０……連動部、７１……サイドガイド本体部、７２……サイドガイド支持部、７３……ロック部、７５……鉛直部、７６……傾斜部、７７……後端部、８１……前下係合突起、８３……位置決め孔、８７……上傾斜部、８８……係合爪部、９０……背部支持板、９１……前部、９２……上部、９３Ｌ……左貫通孔部、９３Ｒ……右貫通孔部、９４……孔部後辺、９５……孔部上側辺、９６……差込突起部、９７……位置指示部。
【図１】
2018200507.tif 000003
【図２】
2018200507.tif 000004
【図３】
2018200507.tif 000005
【図４】
2018200507.tif 000006
【図５】
2018200507.tif 000007
【図６】
2018200507.tif 000008
【図７】
2018200507.tif 000009
【図８】
2018200507.tif 000010
【図９】
2018200507.tif 000011
【図１０】
2018200507.tif 000012
【図１１】
2018200507.tif 000013
【図１２】
2018200507.tif 000014
【図１３】
2018200507.tif 000015
【図１４】
2018200507.tif 000016
【図１５】
2018200507.tif 000017
【図１６】
2018200507.tif 000018
【図１７】
2018200507.tif 000019
【図１８】
2018200507.tif 000020